(57)【特許請求の範囲】
【請求項１】
第１端末装置と、当該第１端末装置とネットワークを介して接続される画像合成装置とを、備える画像合成システムであって、
前記第１端末装置は、
前記画像合成装置から画面用の画像データである画面データを受信する受信部と、
前記画面データに基づく画面を変倍操作で設定された変倍率で変倍して表示部に表示させる表示制御部と、
前記変倍して表示された画面に対するタッチ入力を受け付ける毎に、当該タッチ入力が行われた位置を示す第１手書き位置情報を取得し、当該第１手書き位置情報を前記変倍率の逆数で変倍する取得部と、
前記第１手書き位置情報が取得されて変倍される毎に、当該変倍された第１手書き位置情報を前記画像合成装置に送信する送信部と、を備え、
前記画像合成装置は、
前記画面データを前記第１端末装置に配信する配信部と、
前記第１端末装置から前記変倍された第１手書き位置情報が送信される毎に、当該変倍された第１手書き位置情報を受信し、手書き位置情報記憶部に記憶する受信部と、
前記変倍された第１手書き位置情報が前記手書き位置情報記憶部に記憶される毎に、当該手書き位置情報記憶部に記憶されている前記変倍された第１手書き位置情報を用いて、前記タッチ入力に基づいて描画された第１手書き情報の画像データである第１手書き画像データを生成する生成部と、
前記第１手書き画像データが生成される毎に、前記画面データと当該第１手書き画像データとを合成して合成画面データを生成する合成部と、を備える画像合成システム。
【請求項２】
前記受信部は、前記第１手書き情報のうち削除される部分の位置を示す第１削除位置情報を更に受信し、
前記生成部は、前記第１削除位置情報を更に用いて前記第１手書き画像データを生成する請求項１に記載の画像合成システム。
【請求項３】
前記受信部は、前記変倍された第１手書き位置情報と前記第１手書き情報の入力時刻を示す入力時刻情報とを対応付けて前記手書き位置情報記憶部に記憶し、
前記受信部は、更に、前記第１手書き情報のうち再現する部分の入力時刻を指定する時刻指定情報を受信し、
前記生成部は、前記手書き位置情報記憶部から、前記時刻指定情報で指定された入力時刻を示す入力時刻情報に対応付けられた第１手書き位置情報を取得し、当該第１手書き位置情報を用いて、前記第１手書き情報のうち再現する部分の手書き画像データを生成する請求項２に記載の画像合成システム。
【請求項４】
前記画像合成装置は、第２端末装置とネットワークを介して更に接続され、
前記配信部は、前記画面データを前記第２端末装置に更に配信し、
前記受信部は、前記第２端末装置上で前記画面データに基づく画面に対してタッチ入力が行われた位置を示す第２手書き位置情報を更に受信して、前記手書き位置情報記憶部に記憶し、
前記生成部は、前記第２手書き位置情報が前記手書き位置情報記憶部に記憶される毎に、当該手書き位置情報記憶部に記憶されている前記第２手書き位置情報を用いて、前記第２端末装置上でのタッチ入力に基づいて描画された第２手書き情報の画像データである第２手書き画像データを更に生成し、
前記合成部は、前記第２手書き画像データを更に合成して前記合成画面データを生成する請求項２又は３に記載の画像合成システム。
【請求項５】
前記画像合成装置は、
端末装置を識別する端末識別情報と手書き画像データの合成色を示す色情報とを対応付けた合成色テーブルを記憶する合成色テーブル記憶部を更に備え、
前記受信部は、前記第１手書き位置情報とともに前記第１端末装置の端末識別情報である第１端末識別情報を受信し、前記第２手書き位置情報とともに前記第２端末装置の端末識別情報である第２端末識別情報を受信し、
前記合成部は、前記合成色テーブルを参照し、前記第１端末識別情報に対応付けられた色情報が示す合成色で前記第１手書き画像データを前記画面データに合成し、前記第２端末識別情報に対応付けられた色情報が示す合成色で前記第２手書き画像データを前記画面データに合成する請求項４に記載の画像合成システム。
【請求項６】
前記画像合成装置は、
端末装置を識別する端末識別情報と手書き画像データを合成するか否かを示す合成有無情報とを対応付けた合成判別テーブルを記憶する合成判別テーブル記憶部を更に備え、
前記受信部は、前記第１手書き位置情報とともに前記第１端末装置の端末識別情報である第１端末識別情報を受信し、前記第２手書き位置情報とともに前記第２端末装置の端末識別情報である第２端末識別情報を受信し、
前記合成部は、前記合成判別テーブルを参照し、前記第１端末識別情報に対応付けられた合成有無情報が合成有を示す場合、前記画面データに前記第１手書き画像データを合成し、前記第２端末識別情報に対応付けられた合成有無情報が合成有を示す場合、前記画面データに前記第２手書き画像データを合成する請求項４又は５に記載の画像合成システム。
【請求項７】
前記画像合成装置は、
前記画面データに基づく画面を投影し、前記合成画面データが生成されると、当該合成画面データに基づく画面を投影する投影部を更に備える請求項１〜６のいずれか１つに記載の画像合成システム。
【請求項８】
前記画像合成装置は、
前記画面データに基づく画面を投影し、前記合成画面データが生成されると、当該合成画面データに基づく画面を投影する投影部と、
端末装置を識別する端末識別情報と、投影されている画面と同期するか否かを示す同期有無情報と、を対応付けた同期判別テーブルを記憶する同期判別テーブル記憶部とを更に備え、
前記配信部は、前記同期判別テーブルを参照し、前記第１端末装置及び前記第２端末装置のうち同期有を示す同期有無情報に対応付けられた端末装置に前記合成画面データを配信する請求項４〜６のいずれか１つに記載の画像合成システム。
【請求項９】
前記同期判別テーブルは、同期無を示す同期有無情報に、合成対象の手書き情報が生成された端末装置の端末識別情報である同期対象端末識別情報を対応付け、
前記合成部は、前記同期判別テーブルを参照し、前記同期対象端末識別情報が示す端末装置の手書き情報から生成された手書き画像データと前記画面データとを合成して配信用合成画面データを生成し、
前記配信部は、前記同期判別テーブルを参照し、前記第１端末装置及び前記第２端末装置のうち前記同期対象端末識別情報が対応付けられた前記端末識別情報が示す端末装置に前記配信用合成画面データを配信する請求項８に記載の画像合成システム。
【請求項１０】
画像合成装置と、当該画像合成装置とネットワークを介して接続されるコンピュータで実行されるプログラムとを、備える画像合成システムであって、
前記プログラムは、
前記画像合成装置から画面用の画像データである画面データを受信する受信部と、
前記画面データに基づく画面を変倍操作で設定された変倍率で変倍して表示部に表示させる表示制御部と、
前記変倍して表示された画面に対するタッチ入力を受け付ける毎に、当該タッチ入力が行われた位置を示す手書き位置情報を取得し、当該手書き位置情報を前記変倍率の逆数で変倍する取得部と、
前記手書き位置情報が取得されて変倍される毎に、当該変倍された手書き位置情報を前記画像合成装置に送信する送信部として、前記コンピュータを機能させ、
前記画像合成装置は、
前記画面データを前記コンピュータに配信する配信部と、
前記コンピュータから前記変倍された手書き位置情報が送信される毎に、当該変倍された手書き位置情報を受信し、手書き位置情報記憶部に記憶する受信部と、
前記変倍された手書き位置情報が前記手書き位置情報記憶部に記憶される毎に、当該手書き位置情報記憶部に記憶されている前記変倍された手書き位置情報を用いて、前記タッチ入力に基づいて描画された手書き情報の画像データである手書き画像データを生成する生成部と、
前記手書き画像データが生成される毎に、前記画面データと当該手書き画像データとを合成して合成画面データを生成する合成部と、を備える画像合成システム。
【発明の詳細な説明】
【技術分野】
【０００１】
本発明は、画像合成システムに関する。
【背景技術】
【０００２】
従来から、プロジェクタが、ネットワークを介して投影用の画像データをモバイル端末に配信し、モバイル端末が、配信された画像データに対して入力した手書き情報の画像データを、ネットワークを介してプロジェクタに転送し、プロジェクタが、投影用の画像データと手書き情報の画像データとを合成して投影する技術が知られている。
【０００３】
このような技術の類似技術として、例えば特許文献１には、カメラで撮影された撮影画像の画像データとタブレットで入力された手書き情報の画像データとを、ネットワークを介して外部サーバに送信し、外部サーバで両画像データを合成して表示用の画像データを生成する技術が開示されている。
【発明の概要】
【発明が解決しようとする課題】
【０００４】
しかしながら、上述したような従来技術では、ネットワーク上で手書き情報の画像データを通信させているため、ネットワークに負荷がかかってしまうという問題がある。
【０００５】
本発明は、上記事情に鑑みてなされたものであり、ネットワークにかかる負荷を低減することができる画像合成システムを提供することを目的とする。
【課題を解決するための手段】
【０００８】
また、本発明の別の態様にかかる画像合成システムは、第１端末装置と、当該第１端末装置とネットワークを介して接続される画像合成装置とを、備える画像合成システムであって、前記第１端末装置は、前記画像合成装置から画面用の画像データである画面データを受信する受信部と、前記画面データに基づく画面を変倍操作で設定された変倍率で変倍して表示部に表示させる表示制御部と、前記変倍して表示された画面に対するタッチ入力を受け付ける毎に、当該タッチ入力が行われた位置を示す第１手書き位置情報を取得し、当該第１手書き位置情報を前記変倍率の逆数で変倍する取得部と、前記第１手書き位置情報が取得されて変倍される毎に、当該変倍された第１手書き位置情報を前記画像合成装置に送信する送信部と、を備え、前記画像合成装置は、前記画面データを前記第１端末装置に配信する配信部と、前記第１端末装置から前記変倍された第１手書き位置情報が送信される毎に、当該変倍された第１手書き位置情報を受信し、手書き位置情報記憶部に記憶する受信部と、前記変倍された第１手書き位置情報が前記手書き位置情報記憶部に記憶される毎に、当該手書き位置情報記憶部に記憶されている前記変倍された第１手書き位置情報を用いて、前記タッチ入力に基づいて描画された第１手書き情報の画像データである第１手書き画像データを生成する生成部と、前記第１手書き画像データが生成される毎に、前記画面データと当該第１手書き画像データとを合成して合成画面データを生成する合成部と、を備える。
【０００９】
また、本発明の別の態様にかかる画像合成システムは、画像合成装置と、当該画像合成装置とネットワークを介して接続されるコンピュータで実行されるプログラムとを、備える画像合成システムであって、前記プログラムは、前記画像合成装置から画面用の画像データである画面データを受信する受信部と、前記画面データに基づく画面を変倍操作で設定された変倍率で変倍して表示部に表示させる表示制御部と、前記変倍して表示された画面に対するタッチ入力を受け付ける毎に、当該タッチ入力が行われた位置を示す手書き位置情報を取得し、当該手書き位置情報を前記変倍率の逆数で変倍する取得部と、前記手書き位置情報が取得されて変倍される毎に、当該変倍された手書き位置情報を前記画像合成装置に送信する送信部として、前記コンピュータを機能させ、前記画像合成装置は、前記画面データを前記コンピュータに配信する配信部と、前記コンピュータから前記変倍された手書き位置情報が送信される毎に、当該変倍された手書き位置情報を受信し、手書き位置情報記憶部に記憶する受信部と、前記変倍された手書き位置情報が前記手書き位置情報記憶部に記憶される毎に、当該手書き位置情報記憶部に記憶されている前記変倍された手書き位置情報を用いて、前記タッチ入力に基づいて描画された手書き情報の画像データである手書き画像データを生成する生成部と、前記手書き画像データが生成される毎に、前記画面データと当該手書き画像データとを合成して合成画面データを生成する合成部と、を備える。
【発明の効果】
【００１２】
本発明によれば、ネットワークにかかる負荷を低減することができるという効果を奏する。
【図面の簡単な説明】
【００１３】
【図１】図１は、第１実施形態の画像合成システムの構成の一例を示すブロック図である。
【図２】図２は、第１実施形態のプロジェクタの構成の一例を示すブロック図である。
【図３】図３は、第１実施形態の画面データの一例を示す図である。
【図４】図４は、第１実施形態の手書き位置情報記憶部に記憶されている手書き位置情報の一例を示す図である。
【図５】図５は、第１実施形態の手書き位置情報記憶部に記憶されている手書き位置情報の一例を示す図である。
【図６】図６は、第１実施形態の手書き画像データの一例を示す図である。
【図７】図７は、第１実施形態の合成画面データの一例を示す図である。
【図８】図８は、第１実施形態のタブレットの構成の一例を示すブロック図である。
【図９】図９は、第１実施形態の取得部の手書き位置情報の取得手法の一例を示す説明図である。
【図１０】図１０は、第１実施形態の画像合成システムで実行される配信処理の一例を示すシーケンス図である。
【図１１】図１１は、第１実施形態の画像合成システムで実行される投影処理の一例を示すシーケンス図である。
【図１２】図１２は、第１実施形態のタブレットで実行される手書き位置情報送信処理の一例を示すフローチャート図である。
【図１３】図１３は、第１実施形態のプロジェクタで実行される投影処理の一例を示すフローチャート図である。
【図１４】図１４は、変形例１のタブレットで実行される手書き位置情報送信処理の一例を示すフローチャート図である。
【図１５】図１５は、変形例２の手書き位置情報記憶部に記憶されている手書き位置情報及び削除位置情報の一例を示す図である。
【図１６】図１６は、変形例２の手書き画像データの一例を示す図である。
【図１７】図１７は、変形例２の合成画面データの一例を示す図である。
【図１８】図１８は、変形例３の手書き位置情報記憶部に記憶されている手書き位置情報の一例を示す図である。
【図１９】図１９は、変形例３の画像合成システムで実行される投影処理の一例を示すシーケンス図である。
【図２０】図２０は、第２実施形態の画像合成システムの構成の一例を示すブロック図である。
【図２１】図２１は、第２実施形態のタブレットの構成の一例を示すブロック図である。
【図２２】図２２は、第２実施形態のプロジェクタの構成の一例を示すブロック図である。
【図２３】図２３は、第２実施形態の手書き位置情報記憶部に記憶されている手書き位置情報の一例を示す図である。
【図２４】図２４は、第２実施形態の手書き画像データの一例を示す図である。
【図２５】図２５は、第２実施形態の画像合成システムで実行される投影処理の一例を示すシーケンス図である。
【図２６】図２６は、第３実施形態の画像合成システムのプロジェクタの構成の一例を示すブロック図である。
【図２７】図２７は、第３実施形態の合成色テーブル記憶部に記憶されている合成色テーブルの一例を示す図である。
【図２８】図２８は、第４実施形態の画像合成システムのプロジェクタの構成の一例を示すブロック図である。
【図２９】図２９は、第４実施形態の合成判別テーブル記憶部に記憶されている合成判別テーブルの一例を示す図である。
【図３０】図３０は、第４実施形態の画像合成システムで実行される合成判別テーブル更新処理の一例を示すシーケンス図である。
【図３１】図３１は、第５実施形態の画像合成システムのプロジェクタの構成の一例を示すブロック図である。
【図３２】図３２は、第５実施形態の同期判別テーブル記憶部に記憶されている同期判別テーブルの一例を示す図である。
【図３３】図３３は、第５実施形態の画像合成システムのタブレットの構成の一例を示すブロック図である。
【図３４】図３４は、第５実施形態のプロジェクタで実行される配信処理の一例を示すフローチャート図である。
【図３５】図３５は、第５実施形態の画像合成システム５００で実行される同期判別テーブル更新処理の一例を示すシーケンス図である。
【発明を実施するための形態】
【００１４】
以下、添付図面を参照しながら、本発明にかかる画像合成システムの実施形態を詳細に説明する。以下の各実施形態では、画像合成装置、端末装置として、それぞれ、プロジェクタ、タブレットを例に取り説明するが、これらに限定されるものではない。画像合成装置は、画像合成が可能な装置であればよく、例えば、サーバ装置など通常のコンピュータを利用した装置であってもよい。端末装置は、手書き入力が可能な装置であればよく、例えば、スマートフォンなどであってもよい。
【００１５】
（第１実施形態）
図１は、第１実施形態の画像合成システム１００の構成の一例を示すブロック図である。図１に示すように、画像合成システム１００は、プロジェクタ１１０と、タブレット１６０とを、備える。
【００１６】
プロジェクタ１１０とタブレット１６０とは、ネットワーク１０１を介して接続されている。ネットワーク１０１は、プロジェクタ１１０とタブレット１６０とを通信可能に接続できればよく、例えば、インターネットやＬＡＮ（Local  Area  Network）などにより実現できる。
【００１７】
プロジェクタ１１０は、投影用の画像データである画面データに基づく画面を投影する。またプロジェクタ１１０は、画面データをタブレット１６０に配信するとともに、タブレット１６０から、画面データに基づく画像に対して入力された手書き情報の位置を示す手書き位置情報を受信する。そしてプロジェクタ１１０は、手書き位置情報の画像データである手書き画像データを生成し、画面データと手書き画像データとを合成して合成画面データを生成し、合成画面データに基づく画面を投影する。
【００１８】
図２は、第１実施形態のプロジェクタ１１０の構成の一例を示すブロック図である。図２に示すように、プロジェクタ１１０は、通信部１２０と、記憶部１３０と、制御部１４０と、投影部１５０とを、備える。
【００１９】
通信部１２０は、ネットワーク１０１を介して、タブレット１６０と通信するものであり、通信インタフェースなどの通信装置により実現できる。
【００２０】
記憶部１３０は、プロジェクタ１１０で実行されるプログラムやプロジェクタ１１０で行われる各種処理に使用されるデータなどを記憶する。記憶部１３０は、例えば、ＨＤＤ（Hard  Disk  Drive）、ＳＳＤ（Solid  State  Drive）、メモリカード、光ディスク、ＲＯＭ（Read  Only  Memory）、ＲＡＭ（Random  Access  Memory）などの磁気的、光学的、又は電気的に記憶可能な記憶装置の少なくともいずれかにより実現できる。
【００２１】
記憶部１３０は、画像データ記憶部１３１と、手書き位置情報記憶部１３２とを、含む。画像データ記憶部１３１は、後述の投影部１５０により投影される画面用の画像データである画面データなど各種画像データを記憶する。画面データの一例を図３に示す。手書き位置情報記憶部１３２には、手書き位置情報が記憶される。なお、手書き位置情報の詳細については、後述する。
【００２２】
制御部１４０は、プロジェクタ１１０の各部を制御するものであり、ＣＰＵ（Central  Processing  Unit）などの制御装置により実現できる。制御部１４０は、配信部１４１と、受信部１４２と、生成部１４３と、合成部１４４とを、含む。
【００２３】
配信部１４１は、画面データをタブレット１６０に配信する。具体的には、配信部１４１は、タブレット１６０から画面データの配信要求を受け付け、配信要求を受け付けた画面データを画像データ記憶部１３１から取得してタブレット１６０に配信する。第１実施形態では、画面データにアスペクト比が含まれているものとするが、これに限定されるものではない。例えば、配信部１４１は、タブレット１６０から図３に示す画面データの配信要求を受け付け、図３に示す画面データを画像データ記憶部１３１から取得してタブレット１６０に配信する。
【００２４】
受信部１４２は、タブレット１６０上でユーザにより画面データに基づく画面に対して入力された手書き情報の位置を示す手書き位置情報を受信し、手書き位置情報記憶部１３２に記憶する。手書き情報とは、例えば、手書きで描かれた文字、記号、又は絵などが該当する。第１実施形態では、手書き位置情報は、画面上の２次元座標（ｘ，ｙ）を示すものとするが、これに限定されるものではない。なお第１実施形態では、画面左上を２次元座標の原点（０，０）とする。
【００２５】
具体的には、タブレット１６０は、手書き情報の入力（例えば、ユーザのタッチ操作の入力）が行われている間、手書き位置情報として、前回（１つ前）の座標と最新の座標との座標のペアを順次プロジェクタ１１０に送信するものとする。このため、受信部１４２は、タブレット１６０で手書き情報の入力が行われている間、タブレット１６０から座標のペアを順次受信し、座標のペアのうち最新の座標を手書き位置情報として手書き位置情報記憶部１３２に記憶する。
【００２６】
図４は、第１実施形態の手書き位置情報記憶部１３２に記憶されている手書き位置情報の一例を示す図である。図４に示す例では、手書き位置情報（座標（ｘ，ｙ））は、下に進むほど時系列が新しくなるものとする。例えば、受信部１４２は、タブレット１６０から、手書き位置情報として、前回の座標（４０，５５）、最新の座標（４５，５０）の座標のペアを受信したとする。この場合、受信部１４２は、図４に示す一番下の座標（４０，５５）が座標のペアのうちの前回の座標（４０，５５）と一致することを確認し、図５に示すように、座標のペアのうちの最新の座標（４５，５０）を一番下（図４に示す一番下の座標（４０，５５）の下）に追加記憶する。
【００２７】
但し、タブレット１６０は、座標のペアではなく最新の座標を順次プロジェクタ１１０に送信し、プロジェクタ１１０は、タブレット１６０から最新の座標を順次受信するようにしてもよい。
【００２８】
生成部１４３は、受信部１４２により受信された手書き位置情報を用いて手書き情報の画像データである手書き画像データを生成する。具体的には、生成部１４３は、手書き位置情報記憶部１３２に記憶されている手書き位置情報を用いて手書き画像データを生成し、画像データ記憶部１３１に記憶する。生成部１４３は、例えば、図５に示す手書き位置情報を用いて、時系列で隣接する座標を線で結ぶことにより、図６に示す手書き画像データを生成する。
【００２９】
合成部１４４は、画面データと生成部１４３により生成された手書き画像データとを合成して合成画面データを生成する。具体的には、合成部１４４は、画像データ記憶部１３１に記憶されている画面データと手書き画像データとを合成して合成画面データを生成し、画像データ記憶部１３１に記憶する。第１実施形態では、画像データ記憶部１３１に記憶されている画像データは、レイヤーで管理されているため、合成部１４４は、画面データが描かれたレイヤーと手書き画像データが描かれたレイヤーとを重ねることで合成画面データを生成する。合成部１４４は、例えば、図３に示す画面データと図６に示す手書き画像データとを重ねることで、図７に示す合成画面データを生成する。
【００３０】
投影部１５０は、画像を投影するものであり、例えば、液晶プロジェクタなどの投影装置により実現できる。投影部１５０は、画面データに基づく画面を投影する。具体的には、投影部１５０は、制御部１４０により画像データ記憶部１３１に記憶されている画面データが転送されると、当該画面データに基づく画面を投影する。例えば、投影部１５０は、制御部１４０により画像データ記憶部１３１から図３に示す画面データが転送されると、当該画面データに基づく画面を投影する。
【００３１】
また投影部１５０は、合成部１４４により合成画面データが生成されると、当該合成画面データに基づく画面を投影する。具体的には、投影部１５０は、制御部１４０により画像データ記憶部１３１に記憶されている合成画面データが転送されると、当該合成画面データに基づく画面を投影する。例えば、投影部１５０は、制御部１４０により画像データ記憶部１３１から図７に示す合成画面データが転送されると、当該合成画面データに基づく画面を投影する。
【００３２】
タブレット１６０は、プロジェクタ１１０に対して画面データの配信を要求して当該画面データを受信し、受信した画面データに基づく画面を表示する。そしてタブレット１６０は、表示している画面に対するユーザからの手書き情報の入力を受け付け、受け付けた手書き情報の位置を示す手書き位置情報を取得し、取得した手書き位置情報をプロジェクタ１１０に送信する。
【００３３】
図８は、第１実施形態のタブレット１６０の構成の一例を示すブロック図である。図８に示すように、タブレット１６０は、通信部１７０と、操作表示部１７２と、記憶部１７４と、制御部１８０とを、備える。
【００３４】
通信部１７０は、ネットワーク１０１を介して、プロジェクタ１１０と通信するものであり、通信インタフェースなどの通信装置により実現できる。
【００３５】
操作表示部１７２は、各種操作の入力や各種画面を表示するものであり、タッチパネル式ディスプレイなどの操作表示装置により実現できる。
【００３６】
記憶部１７４は、タブレット１６０で実行されるプログラムやタブレット１６０で行われる各種処理に使用されるデータなどを記憶する。記憶部１７４は、例えば、ＨＤＤ、ＳＳＤ、メモリカード、光ディスク、ＲＯＭ、ＲＡＭなどの磁気的、光学的、又は電気的に記憶可能な記憶装置の少なくともいずれかにより実現できる。
【００３７】
制御部１８０は、タブレット１６０の各部を制御するものであり、ＣＰＵ（Central  Processing  Unit）などの制御装置により実現できる。制御部１８０は、受信部１８１と、表示制御部１８２と、取得部１８３と、合成部１８４と、送信部１８５とを、含む。
【００３８】
受信部１８１は、プロジェクタ１１０から画面データを受信する。具体的には、受信部１８１は、プロジェクタ１１０に対して画面データの配信を要求して当該画面データを受信し、記憶部１７４に記憶する。第１実施形態では、画面データにアスペクト比が含まれているものとするが、これに限定されるものではない。例えば、受信部１８１は、プロジェクタ１１０に対して図３に示す画面データの配信を要求して当該画面データを受信し、記憶部１７４に記憶する。
【００３９】
表示制御部１８２は、受信部１８１により受信された画面データに基づく画面を操作表示部１７２に表示させる。具体的には、表示制御部１８２は、記憶部１７４に記憶されている画面データを取得し、取得した画面データに含まれるアスペクト比で、取得した画面データに基づく画面を操作表示部１７２に表示させる。例えば、表示制御部１８２は、記憶部１７４から図３に示す画面データを取得し、取得した画面データに基づく画面を操作表示部１７２に表示させる。
【００４０】
また表示制御部１８２は、後述の合成部１８４により合成画面データが生成されると、当該合成画面データに基づく画面を操作表示部１７２に表示させる。具体的には、表示制御部１８２は、記憶部１７４に記憶されている合成画面データを取得し、取得した合成画面データに基づく画面を操作表示部１７２に表示させる。例えば、表示制御部１８２は、記憶部１７４から図７に示す合成画面データを取得し、取得した合成画面データに基づく画面を操作表示部１７２に表示させる。
【００４１】
取得部１８３は、操作表示部１７２に表示されている画面に対するユーザからの手書き情報の入力（例えば、操作表示部１７２に対するユーザのタッチ操作の入力）を受け付け、当該手書き情報の位置を示す手書き位置情報を取得し、記憶部１７４に記憶する。これにより、例えば、図５に示す手書き位置情報が記憶部１７４に記憶される。
【００４２】
図９は、第１実施形態の取得部１８３の手書き位置情報の取得手法の一例を示す説明図である。図９に示す例では、操作表示部１７２に表示されている画面上で手書き位置情報が、点Ｐ１、点Ｐ２、点Ｐ３、点Ｐ４の順序で描かれたとする。この場合、取得部は、ユーザにより点Ｐ１がタッチされると点Ｐ１の座標（３０，２５）を取得して記憶部１７４に記憶し、タッチ位置が点Ｐ１から点Ｐ２に移動されると点Ｐ２の座標（３５，３０）を取得して記憶部１７４に記憶し、タッチ位置が点Ｐ２から点Ｐ３に移動されると点Ｐ３の座標（４０，２５）を取得して記憶部１７４に記憶し、タッチ位置が点Ｐ３から点Ｐ４に移動されると点Ｐ４の座標（４５，２０）を取得して記憶部１７４に記憶する。
【００４３】
合成部１８４は、取得部１８３により取得された手書き位置情報を用いて手書き情報の画像データである手書き画像データを生成し、記憶部１７４に記憶する。そして合成部１８４は、生成した手書き画像データと記憶部１７４に記憶されている画面データとを合成して合成画面データを生成し、記憶部１７４に記憶する。
【００４４】
例えば、合成部１８４は、記憶部１７４に記憶されている図５に示す手書き位置情報を用いて、図６に示す手書き画像データを生成し、図６に示す手書き画像データと記憶部１７４に記憶されている図３に示す画面データとを合成して図７に示す合成画面データを生成する。
【００４５】
送信部１８５は、取得部１８３により取得された手書き位置情報をプロジェクタ１１０に送信する。第１実施形態では、送信部１８５は、取得部１８３により手書き位置情報が取得されている間、手書き位置情報として、前回（１つ前）の座標と最新の座標との座標のペアを順次プロジェクタ１１０に送信する。
【００４６】
図９に示す例の場合、送信部１８５は、点Ｐ２の座標が取得されると、点Ｐ１の座標（３０，２５）と点Ｐ２の座標（３５，３０）との座標のペアをプロジェクタ１１０に送信し、点Ｐ３の座標が取得されると、点Ｐ２の座標（３５，３０）と点Ｐ３の座標（４０，２５）との座標のペアをプロジェクタ１１０に送信し、点Ｐ４の座標が取得されると、点Ｐ３の座標（４０，２５）と点Ｐ４の座標（４５，２０）との座標のペアをプロジェクタ１１０に送信する。
【００４７】
図１０は、第１実施形態の画像合成システム１００で実行される配信処理の一例を示すシーケンス図である。
【００４８】
まず、タブレット１６０の受信部１８１は、プロジェクタ１１０に対して画面データの配信を要求する（ステップＳ１０１）。
【００４９】
続いて、プロジェクタ１１０の配信部１４１は、タブレット１６０から画面データの配信要求を受け付け、配信要求を受け付けた画面データを画像データ記憶部１３１から取得し（ステップＳ１０２）、取得した画面データをタブレット１６０に配信する（ステップＳ１０３）。
【００５０】
続いて、タブレット１６０の受信部１８１は、プロジェクタ１１０から画面データを受信し、タブレット１６０の表示制御部１８２は、受信部１８１により受信された画面データに基づく画面を操作表示部１７２に表示させる（ステップＳ１０４）。
【００５１】
図１１は、第１実施形態の画像合成システム１００で実行される投影処理の一例を示すシーケンス図である。なお、図１１に示す処理は、タブレット１６０上でユーザからの手書き情報の入力が行われている間、所定の周期で繰り返し行われる。
【００５２】
まず、タブレット１６０の取得部１８３は、操作表示部１７２に表示されている画面に対するユーザからの手書き情報の入力を受け付け、当該手書き情報の位置を示す手書き位置情報を取得する（ステップＳ２０１）。
【００５３】
続いて、タブレット１６０の送信部１８５は、取得部１８３により取得された手書き位置情報をプロジェクタ１１０に送信する（ステップＳ２０２）。
【００５４】
続いて、プロジェクタ１１０の受信部１４２は、タブレット１６０から手書き位置情報を受信し、手書き位置情報記憶部１３２に記憶する。そして、プロジェクタ１１０の生成部１４３は、手書き位置情報記憶部１３２に記憶されている手書き位置情報を用いて手書き画像データを生成し、画像データ記憶部１３１に記憶する（ステップＳ２０３）。
【００５５】
続いて、プロジェクタ１１０の合成部１４４は、画像データ記憶部１３１に記憶されている画面データと手書き画像データとを合成して合成画面データを生成し、画像データ記憶部１３１に記憶する（ステップＳ２０４）。
【００５６】
続いて、プロジェクタ１１０の投影部１５０は、制御部１４０により画像データ記憶部１３１に記憶されている合成画面データが転送されると、当該合成画面データに基づく画面を投影する（ステップＳ２０５）。
【００５７】
図１２は、第１実施形態のタブレット１６０で実行される手書き位置情報送信処理の一例を示すフローチャート図である。
【００５８】
まず、受信部１８１は、プロジェクタ１１０に対して画面データの配信を要求して当該画面データを受信し、記憶部１７４に記憶する（ステップＳ３０１）。
【００５９】
続いて、表示制御部１８２は、記憶部１７４に記憶されている画面データを取得し、取得した画面データに基づく画面を操作表示部１７２に表示させる（ステップＳ３０２）。
【００６０】
続いて、取得部１８３は、ユーザにより操作表示部１７２に表示されている画面に対するタッチを待機し（ステップＳ３０３でＮｏ）、画面に対するタッチが行われると（ステップＳ３０３でＹｅｓ）、タッチ位置の座標を取得し、記憶部１７４に記憶する（ステップＳ３０４）。
【００６１】
続いて、取得部１８３は、画面に対するタッチ位置が移動すると（ステップＳ３０５でＹｅｓ）、移動後のタッチ位置の座標を取得し、記憶部１７４に記憶する（ステップＳ３０６）。
【００６２】
続いて、送信部１８５は、手書き位置情報として、前回の座標と最新の座標との座標のペアをプロジェクタ１１０に送信し（ステップＳ３０７）、ステップＳ３０５へ戻る。最新の座標は、直前のステップＳ３０６で取得された座標である。前回の座標は、送信部１８５による手書き位置情報の最初の送信であれば、ステップＳ３０４で取得された座標であり、送信部１８５による手書き位置情報の２回目以降の送信であれば、前回のステップＳ３０６で取得された座標となる。
【００６３】
なお、ステップＳ３０５において、タッチ位置が移動しないが（ステップＳ３０５でＮｏ）、画面に対するタッチが継続されている場合（ステップＳ３０８でＹｅｓ）、ステップＳ３０５へ戻る。一方、ステップＳ３０５において、タッチ位置が移動せず（ステップＳ３０５でＮｏ）、画面に対するタッチも行われていない場合（ステップＳ３０８でＮｏ）、処理は終了となる。
【００６４】
図１３は、第１実施形態のプロジェクタ１１０で実行される投影処理の一例を示すフローチャート図である。
【００６５】
まず、受信部１４２は、タブレット１６０から座標のペアを受信すると（ステップＳ４０１でＹｅｓ）、座標のペアのうち最新の座標を手書き位置情報として手書き位置情報記憶部１３２に記憶する（ステップＳ４０２）。
【００６６】
続いて、生成部１４３は、手書き位置情報記憶部１３２に記憶されている手書き位置情報を用いて手書き画像データを生成し、画像データ記憶部１３１に記憶する（ステップＳ４０３）。
【００６７】
続いて、合成部１４４は、画像データ記憶部１３１に記憶されている画面データと手書き画像データとを合成して合成画面データを生成し、画像データ記憶部１３１に記憶する（ステップＳ４０４）。
【００６８】
続いて、投影部１５０は、制御部１４０により画像データ記憶部１３１に記憶されている合成画面データが転送されると、当該合成画面データに基づく画面を投影し（ステップＳ４０５）、ステップＳ４０１へ戻る。
【００６９】
なお、ステップＳ４０１において、タブレット１６０による座標のペアの送信が終了し、座標のペアの受信が終了すると（ステップＳ４０１でＮｏ）、処理は終了となる。
【００７０】
以上のように第１実施形態では、タブレット１６０は、入力された手書き情報を画像データにしてプロジェクタ１１０に送信するのではなく、入力された手書き情報の手書き位置情報をオンラインでプロジェクタ１１０に順次送信する。そして、プロジェクタ１１０は、受信した手書き位置情報から手書き画像データを生成し、画面データと合成して合成画面データを生成し、投影する。
【００７１】
このため第１実施形態によれば、タブレット１６０からプロジェクタ１１０に送信するデータ量を少なくできるため、ネットワーク１０１にかかる負荷を低減することができる。これにより、プロジェクタ１１０では、合成画面データの生成をリアルタイムで行うことが可能となり、タブレット１６０に手書き情報を入力すると、この手書き情報に基づく合成画面データをプロジェクタ１１０でリアルタイムに投影することが可能となる。
【００７２】
（変形例１）
変形例１では、タブレット１６０が画面を変倍する例について説明する。なお以下では、第１実施形態との相違点の説明を主に行い、第１実施形態と同様の機能を有する構成要素については、その説明を省略する。
【００７３】
変形例１のタブレット１６０について説明する。
【００７４】
表示制御部１８２は、操作表示部１７２に表示されている画面に対するユーザからの変倍操作の入力を受け付け、変倍操作で設定された変倍率で画面を変倍して操作表示部１７２に表示させる。例えば、操作表示部１７２がマルチタップ機能を有するタッチパネル式ディスプレイであれば、変倍操作は、操作表示部１７２に対するピンチアウト操作やピンチイン操作が該当する。そして、表示制御部１８２は、ピンチアウト操作が行われた部分の画面を中心にピンチアウト操作で設定された変倍率（拡大率）で操作表示部１７２に拡大表示させ、ピンチイン操作が行われた部分の画面を中心にピンチイン操作で設定された変倍率（祝勝率）で操作表示部１７２に縮小表示させる。
【００７５】
取得部１８３は、操作表示部１７２に表示されている変倍後の画面に対するユーザからの手書き情報の入力を受け付け、当該手書き情報の手書き位置情報を取得し、記憶部１７４に記憶する。
【００７６】
また取得部１８３は、取得した手書き位置情報を変倍後の画面の変倍率の逆数（１／変倍率）で変倍し、記憶部１７４に記憶する。これにより、変倍後の画面の手書き位置情報（座標）を元の画面（変倍されていない画面）の手書き位置情報（座標）に変換できる。
【００７７】
合成部１８４は、取得部１８３により取得された手書き位置情報（変倍率の逆数で変倍されていない手書き位置情報）を用いて手書き情報の画像データである手書き画像データを生成する。
【００７８】
送信部１８５は、取得部１８３により変倍率の逆数で変倍された手書き位置情報をプロジェクタ１１０に送信する。
【００７９】
図１４は、変形例１のタブレット１６０で実行される手書き位置情報送信処理の一例を示すフローチャート図である。
【００８０】
ステップＳ５０１〜Ｓ５０２までの処理は、図１２のフローチャートのステップＳ３０１〜Ｓ３０２までの処理と同様である。
【００８１】
続いて、表示制御部１８２は、操作表示部１７２に表示されている画面に対するユーザからの変倍操作の入力を受け付け（ステップＳ５０３）、変倍操作で設定された変倍率で画面を変倍して操作表示部１７２に表示させる（ステップＳ５０４）。
【００８２】
続いて、取得部１８３は、ユーザにより操作表示部１７２に表示されている画面に対するタッチを待機し（ステップＳ５０５でＮｏ）、画面に対するタッチが行われると（ステップＳ５０５でＹｅｓ）、タッチ位置の座標を取得し、変倍後の画面の変倍率の逆数（１／変倍率）で変倍し、記憶部１７４に記憶する（ステップＳ５０６）。
【００８３】
続いて、取得部１８３は、画面に対するタッチ位置が移動すると（ステップＳ５０７でＹｅｓ）、移動後のタッチ位置の座標を取得し、変倍後の画面の変倍率の逆数（１／変倍率）で変倍し、記憶部１７４に記憶する（ステップＳ５０８）。
【００８４】
続いて、送信部１８５は、手書き位置情報として、前回の座標と最新の座標との座標のペアをプロジェクタ１１０に送信し（ステップＳ５０９）、ステップＳ５０７へ戻る。最新の座標は、直前のステップＳ５０８で変倍された座標である。前回の座標は、送信部１８５による手書き位置情報の最初の送信であれば、ステップＳ５０６で変倍された座標であり、送信部１８５による手書き位置情報の２回目以降の送信であれば、前回のステップＳ５０８で変倍された座標となる。
【００８５】
なお、ステップＳ５０７において、タッチ位置が移動しないが（ステップＳ５０７でＮｏ）、画面に対するタッチが継続されている場合（ステップＳ５１０でＹｅｓ）、ステップＳ５０７へ戻る。一方、ステップＳ５０７において、タッチ位置が移動せず（ステップＳ５０７でＮｏ）、画面に対するタッチも行われていない場合（ステップＳ５１０でＮｏ）、処理は終了となる。
【００８６】
以上のように変形例１によれば、タブレット１６０は、画面が変倍された場合であっても、元の画面（変倍されていない画面）のサイズに合わせた手書き位置情報をプロジェクタ１１０に送信するので、プロジェクタ１１０において画面の変倍の影響を受けずに合成画面データを生成し、投影することができる。これにより、タブレット１６０での画面の変倍が可能となり、例えば、画面を拡大することにより、小さなスペースに対しても手書き情報を正確に入力する（書き込む）ことが可能となる。
【００８７】
なお、変形例１では、タブレット１６０側で手書き位置情報を元の画面（変倍されていない画面）のサイズに合わせるようにしたが、プロジェクタ１１０側で手書き位置情報を元の画面（変倍されていない画面）のサイズに合わせるようにしてもよい。この場合、タブレット１６０は、取得部１８３により取得された手書き位置情報とともに画面の変倍率をプロジェクタ１１０に送信すればよい。
【００８８】
（変形例２）
変形例２では、タブレット１６０が手書き情報を削除する例について説明する。なお以下では、第１実施形態との相違点の説明を主に行い、第１実施形態と同様の機能を有する構成要素については、その説明を省略する。
【００８９】
変形例２のタブレット１６０について説明する。
【００９０】
取得部１８３は、操作表示部１７２に表示された画面上に描かれている手書き情報の少なくとも一部を削除する削除情報の入力（例えば、画面上に描かれている手書き情報のうちの削除部分に対するユーザのタッチ操作の入力）を受け付け、当該削除情報の位置を示す削除位置情報を取得し、記憶部１７４に記憶する。変形例２では、削除情報は、手書き位置情報同様、画面上の２次元座標（ｘ，ｙ）を示すものとするが、これに限定されるものではない。
【００９１】
また変形例２では、制御部１８０は、手書き情報の入力モードと削除情報の入力モードとを管理しており、手書き情報の入力モードにおいて画面に対するユーザのタッチ操作の入力が行われた場合、取得部１８３は、手書き情報の入力を受け付け、削除情報の入力モードにおいて画面に対するユーザのタッチ操作の入力が行われた場合、取得部１８３は、削除情報の入力を受け付ける。
【００９２】
合成部１８４は、取得部１８３により取得された手書き位置情報及び削除位置情報を用いて手書き画像データを生成し、記憶部１７４に記憶する。
【００９３】
送信部１８５は、取得部１８３により取得された削除位置情報をプロジェクタ１１０に送信する。送信部１８５は、手書き位置情報の送信同様、取得部１８３により削除位置情報が取得されている間、削除位置情報として、前回（１つ前）の座標と最新の座標との座標のペアを順次プロジェクタ１１０に送信する。
【００９４】
なお変形例２では、送信部１８５は、手書き位置情報を送信する場合、手書き位置情報の座標のペアであることを示す識別子を座標のペアとともに送信し、削除位置情報を送信する場合、削除位置情報の座標のペアであることを示す識別子を座標のペアとともに送信する。
【００９５】
変形例２のプロジェクタ１１０について説明する。
【００９６】
受信部１４２は、手書き情報のうち削除される部分の位置を示す削除位置情報を受信し、手書き位置情報記憶部１３２に記憶する。具体的には、受信部１４２は、手書き位置情報の受信同様、タブレット１６０で削除情報の入力が行われている間、タブレット１６０から座標のペアを順次受信し、座標のペアのうち最新の座標を削除位置情報として手書き位置情報記憶部１３２に記憶する。
【００９７】
なお変形例２では、受信部１４２は、手書き位置情報を受信する場合、手書き位置情報の座標のペアであることを示す識別子とともに座標のペアを受信し、座標のペアのうち最新の座標に当該識別子を対応付けて手書き位置情報記憶部１３２に記憶する。同様に、受信部１４２は、削除位置情報を受信する場合、削除位置情報の座標のペアであることを示す識別子とともに座標のペアを受信し、座標のペアのうち最新の座標に当該識別子を対応付けて手書き位置情報記憶部１３２に記憶する。
【００９８】
図１５は、変形例２の手書き位置情報記憶部１３２に記憶されている手書き位置情報及び削除位置情報の一例を示す図である。図１５に示す例では、種別“１”が手書き位置情報を示し、種別“０”が削除位置情報を示している。これにより、手書き位置情報記憶部１３２に記憶されている座標が、手書き位置情報の座標であるか削除情報の座標であるかを識別できる。
【００９９】
生成部１４３は、受信部１４２により受信された手書き位置情報及び削除位置情報を用いて手書き画像データを生成する。生成部１４３は、例えば、図１５に示す手書き位置情報及び削除位置情報を用いて、時系列で隣接する手書き位置情報の座標を線で結ぶとともに、時系列で隣接する削除位置情報の座標を結ぶ線を削除することにより、図１６に示す手書き画像データを生成する。
【０１００】
合成部１４４は、画面データと生成部１４３により生成された手書き画像データとを合成して合成画面データを生成する。合成部１４４は、例えば、図３に示す画面データと図１６に示す手書き画像データとを合成することで、図１７に示す合成画面データを生成する。
【０１０１】
以上のように変形例２によれば、タブレット１６０は、手書き情報を削除した場合、削除位置情報をプロジェクタ１１０に送信するので、プロジェクタ１１０において手書き情報の削除を反映した合成画面データを生成し、投影することができる。
【０１０２】
（変形例３）
変形例３では、指定された入力時刻に入力された手書き情報を画面に合成して投影する例について説明する。なお以下では、第１実施形態との相違点の説明を主に行い、第１実施形態と同様の機能を有する構成要素については、その説明を省略する。
【０１０３】
変形例３のプロジェクタ１１０について説明する。
【０１０４】
受信部１４２は、タブレット１６０から手書き位置情報を受信し、受信した手書き位置情報と当該手書き位置情報の入力時刻を示す入力時刻情報とを対応付けて手書き位置情報記憶部１３２に記憶する。具体的には、受信部１４２は、タブレット１６０で手書き情報の入力が行われている間、タブレット１６０から座標のペアを順次受信し、座標のペアのうち最新の座標と当該座標の入力時刻を示す入力時刻情報とを対応付けて手書き位置情報記憶部１３２に記憶する。図１８は、変形例３の手書き位置情報記憶部１３２に記憶されている手書き位置情報の一例を示す図である。図１８に示す例では、手書き位置情報の座標に当該座標の入力時刻が対応付けられている。
【０１０５】
なお変形例２では、手書き位置情報の入力時刻は、受信部１４２が当該手書き位置情報を受信した時刻とするが、これに限定されるものではない。例えば、手書き位置情報の入力時刻は、タブレット１６０に入力された時刻としてもよい。この場合、受信部１４２は、手書き位置情報の入力時刻をタブレット１６０から受信する。
【０１０６】
また受信部１４２は、タブレット１６０から、手書き情報のうち再現する部分の入力時刻を指定する時刻指定情報を受信する。
【０１０７】
生成部１４３は、手書き位置情報記憶部１３２から、手書き位置情報のうち受信部１４２により受信された時刻指定情報で指定された入力時刻に対応する部分の手書き位置情報を取得し、取得した手書き位置情報を用いて、手書き情報のうち再現する部分の手書き画像データを生成する。
【０１０８】
例えば、受信部１４２により受信された時刻指定情報で指定された入力時刻が１０：００〜１０：０５であるとする。この場合、生成部１４３は、手書き位置情報記憶部１３２から、図１８に示す手書き位置情報のうち入力時刻が１０：００に対応付けられた手書き位置情報を取得し、取得した手書き位置情報を用いて、図１６に示す手書き画像データを生成する。
【０１０９】
合成部１４４は、画面データと生成部１４３により生成された手書き画像データとを合成して合成画面データを生成する。合成部１４４は、例えば、図３に示す画面データと図１６に示す手書き画像データとを合成することで、図１７に示す合成画面データを生成する。
【０１１０】
変形例３のタブレット１６０について説明する。
【０１１１】
送信部１８５は、手書き情報のうち再現する部分の入力時刻を指定する時刻指定情報をプロジェクタ１１０に受信する。
【０１１２】
図１９は、変形例３の画像合成システム１００で実行される投影処理の一例を示すシーケンス図である。
【０１１３】
まず、タブレット１６０の制御部１８０は、プロジェクタ１１０に対して手書き位置情報の入力時刻情報を要求する（ステップＳ６０１）。
【０１１４】
続いて、プロジェクタ１１０の制御部１４０は、タブレット１６０から入力時刻情報の要求を受け付け、手書き位置情報記憶部１３２から入力時刻情報を取得し（ステップＳ６０２）、取得した入力時刻情報（入力時刻の範囲）をタブレット１６０に送信する（ステップＳ６０３）。例えば、制御部１４０は、図１８に示す手書き位置情報の場合、１０：００〜１０：１０を示す入力時刻情報をタブレット１６０に送信する。
【０１１５】
続いて、タブレット１６０の制御部１８０は、プロジェクタ１１０から入力時刻情報を受信し、受信した入力時刻情報を操作表示部１７２に表示させ、ユーザから時刻指定情報の入力を受け付ける。そして、タブレット１６０の送信部１８５は、入力された時刻指定情報をプロジェクタ１１０に送信する（ステップＳ６０４）。
【０１１６】
続いて、プロジェクタ１１０の受信部１４２は、タブレット１６０から時刻指定情報を受信する。そして、プロジェクタ１１０の生成部１４３は、手書き位置情報記憶部１３２から、手書き位置情報のうち受信部１４２により受信された時刻指定情報で指定された入力時刻に対応する部分の手書き位置情報を取得し、取得した手書き位置情報を用いて、手書き情報のうち再現する部分の手書き画像データを生成し、画像データ記憶部１３１に記憶する（ステップＳ６０５）。
【０１１７】
続いて、プロジェクタ１１０の合成部１４４は、画像データ記憶部１３１に記憶されている画面データと手書き画像データとを合成して合成画面データを生成し、画像データ記憶部１３１に記憶する（ステップＳ６０６）。
【０１１８】
続いて、プロジェクタ１１０の投影部１５０は、制御部１４０により画像データ記憶部１３１に記憶されている合成画面データが転送されると、当該合成画面データに基づく画面を投影する（ステップＳ６０７）。
【０１１９】
以上のように変形例３によれば、プロジェクタ１１０は、特定の時間帯に入力された手書き情報のみを反映した合成画面データを生成し、投影することができるので、会議や授業などに好適である。
【０１２０】
（第２実施形態）
第２実施形態では、タブレットが複数存在する例について説明する。なお以下では、第１実施形態との相違点の説明を主に行い、第１実施形態と同様の機能を有する構成要素については、第１実施形態と同様の名称・符号を付し、その説明を省略する。
【０１２１】
図２０は、第２実施形態の画像合成システム２００の構成の一例を示すブロック図である。図２０に示すように、画像合成システム２００は、プロジェクタ２１０と、複数のタブレット２６０Ａ〜２６０Ｂとを、備える。プロジェクタ２１０と複数のタブレット２６０Ａ〜２６０Ｂは、ネットワーク１０１を介して接続されている。なお、タブレットの台数は、２台以上であれば何台であってもよい。
【０１２２】
図２１は、第２実施形態のタブレット２６０Ａ、Ｂの構成の一例を示すブロック図である。タブレット２６０Ａ、Ｂは、制御部２８０の送信部２８５が第１実施形態のタブレット１６０と相違する。
【０１２３】
送信部２８５は、取得部１８３により取得された手書き位置情報とともに自身のタブレットを識別する端末識別情報をプロジェクタ１１０に送信する。例えば、タブレット１６０Ａの送信部２８５であれば、タブレット１６０Ａの端末識別情報を送信し、タブレット１６０Ｂの送信部２８５であれば、タブレット１６０Ｂの端末識別情報を送信する。これにより、プロジェクタ２１０において、いずれのタブレットの手書き位置情報か識別できる。
【０１２４】
図２２は、第２実施形態のプロジェクタ２１０の構成の一例を示すブロック図である。プロジェクタ２１０は、記憶部２３０の画像データ記憶部２３１及び手書き位置情報記憶部２３２、並びに制御部２４０の配信部２４１、受信部２４２、生成部２４３、及び合成部２４４が第１実施形態のプロジェクタ１１０と相違する。
【０１２５】
配信部２４１は、画面データをタブレット２６０Ａ、Ｂに配信する。
【０１２６】
受信部２４２は、タブレット２６０Ａ、Ｂから手書き位置情報を受信し、手書き位置情報記憶部２３２に記憶する。受信部２４２は、送信元のタブレットの端末識別情報とともに手書き位置情報を受信するので、タブレットの端末識別情報毎に手書き位置情報を手書き位置情報記憶部２３２に記憶する。
【０１２７】
図２３は、第２実施形態の手書き位置情報記憶部２３２に記憶されている手書き位置情報の一例を示す図である。図２３に示す例では、“Ａ”を示す端末識別情報、“Ｂ”を示す端末識別情報それぞれに、座標が対応付けられている。なお、“Ａ”はタブレット２６０Ａを表し、“Ｂ”はタブレット２６０Ｂを表す。これにより、手書き位置情報記憶部１３２に記憶されている座標が、タブレット２６０Ａの座標であるかタブレット２６０Ｂの座標であるかを識別できる。
【０１２８】
生成部２４３は、受信部２４２により受信されたタブレット２６０Ａの手書き位置情報を用いてタブレット２６０Ａの手書き画像データを生成するとともに、受信部２４２により受信されたタブレット２６０Ｂの手書き位置情報を用いてタブレット２６０Ｂの手書き画像データを生成する。
【０１２９】
例えば、生成部２４３は、手書き位置情報記憶部２３２から、図２３に示す手書き位置情報のうち“Ａ”を示す端末識別情報に対応付けられている手書き位置情報を取得し、図１６に示すタブレット２６０Ａの手書き画像データを生成して、画像データ記憶部２３１に記憶する。また例えば、生成部２４３は、手書き位置情報記憶部２３２から、図２３に示す手書き位置情報のうち“Ｂ”を示す端末識別情報に対応付けられている手書き位置情報を取得し、図２４に示すタブレット２６０Ｂの手書き画像データを生成して、画像データ記憶部２３１に記憶する。
【０１３０】
合成部２４４は、画面データ、生成部２４３により生成されたタブレット２６０Ａの手書き画像データ、及びタブレット２６０Ｂの手書き画像データを合成して合成画面データを生成し、画像データ記憶部２３１に記憶する。合成部３４４は、例えば、図３に示す画面データと図１６に示すタブレット２６０Ａの手書き画像データと図２４に示すタブレット２６０Ｂの手書き画像データとを合成することで、図７に示す合成画面データを生成する。
【０１３１】
図２５は、第２実施形態の画像合成システム２００で実行される投影処理の一例を示すシーケンス図である。
【０１３２】
まず、タブレット２６０Ｂの取得部１８３は、操作表示部１７２に表示されている画面に対するユーザからの手書き情報の入力を受け付け、当該手書き情報の位置を示す手書き位置情報を取得する（ステップＳ７０１）。
【０１３３】
続いて、タブレット２６０Ｂの送信部２８５は、取得部１８３により取得された手書き位置情報をプロジェクタ２１０に送信する（ステップＳ７０２）。
【０１３４】
続いて、タブレット２６０Ａの取得部１８３は、操作表示部１７２に表示されている画面に対するユーザからの手書き情報の入力を受け付け、当該手書き情報の位置を示す手書き位置情報を取得する（ステップＳ７０３）。
【０１３５】
続いて、タブレット２６０Ａの送信部２８５は、取得部１８３により取得された手書き位置情報をプロジェクタ２１０に送信する（ステップＳ７０４）。
【０１３６】
続いて、プロジェクタ２１０の受信部２４２は、タブレット２６０Ａ、Ｂから手書き位置情報を受信し、タブレット毎に手書き位置情報を手書き位置情報記憶部２３２に記憶する。そして、プロジェクタ２１０の生成部２４３は、手書き位置情報記憶部２３２に記憶されているタブレット２６０Ａの手書き位置情報を用いてタブレット２６０Ａの手書き画像データを生成するとともに、タブレット２６０Ｂの手書き位置情報を用いてタブレット２６０Ｂの手書き画像データを生成し、画像データ記憶部２３１に記憶する（ステップＳ７０５）。
【０１３７】
続いて、プロジェクタ２１０の合成部２４４は、画像データ記憶部２３１に記憶されている画面データとタブレット２６０Ａの手書き画像データとタブレット２６０Ｂの手書き画像データを合成して合成画面データを生成し、画像データ記憶部２３１に記憶する（ステップＳ７０６）。
【０１３８】
続いて、プロジェクタ２１０の投影部１５０は、制御部２４０により画像データ記憶部２３１に記憶されている合成画面データが転送されると、当該合成画面データに基づく画面を投影する（ステップＳ７０７）。
【０１３９】
以上のように第２実施形態によれば、複数のタブレットから入力された手書き情報を反映した合成画面データを生成し、投影することができるので、会議や授業などに好適である。
【０１４０】
（第３実施形態）
第３実施形態では、タブレットに応じて手書き画像データの合成色を変更する例について説明する。なお以下では、第２実施形態との相違点の説明を主に行い、第２実施形態と同様の機能を有する構成要素については、第２実施形態と同様の名称・符号を付し、その説明を省略する。
【０１４１】
図２６は、第３実施形態の画像合成システム３００のプロジェクタ３１０の構成の一例を示すブロック図である。プロジェクタ３１０は、記憶部３３０が合成色テーブル記憶部３３３を含む点、及び制御部３４０の合成部３４４が第２実施形態のプロジェクタ２１０と相違する。
【０１４２】
合成色テーブル記憶部３３３は、タブレットを識別する端末識別情報と手書き画像データの合成色を示す色情報とを対応付けた合成色テーブルを記憶する。図２７は、第３実施形態の合成色テーブル記憶部３３３に記憶されている合成色テーブルの一例を示す図である。図２７に示す例では、“Ａ”を示す端末識別情報と赤を示す色情報とが対応付けられており、“Ｂ”を示す端末識別情報と青を示す色情報とが対応付けられている。
【０１４３】
合成部３４４は、合成色テーブルを参照し、タブレット２６０Ａの端末識別情報に対応付けられた色情報が示す色でタブレット２６０Ａの手書き画像データを画面データに合成し、タブレット２６０Ｂの端末識別情報に対応付けられた色情報が示す色でタブレット２６０Ｂの手書き画像データを画面データに合成する。
【０１４４】
例えば、合成部３４４は、図２７に示す合成色テーブルを参照し、“Ａ”を示す端末識別情報に対応付けられた色情報が示す赤色でタブレット２６０Ａの手書き画像データを画面データに合成し、“Ｂ”を示す端末識別情報に対応付けられた色情報が示す青色でタブレット２６０Ｂの手書き画像データを画面データに合成する。
【０１４５】
以上のように第３実施形態によれば、複数のタブレットから入力された手書き情報を反映した合成画面データを生成して投影する場合に、タブレットに応じて手書き情報を色分けすることができるので、視認性を高めることができ、会議や授業などに好適である。
【０１４６】
（第４実施形態）
第４実施形態では、タブレットに応じて手書き画像データを合成するか否かを切り替える例について説明する。なお以下では、第２実施形態との相違点の説明を主に行い、第２実施形態と同様の機能を有する構成要素については、第２実施形態と同様の名称・符号を付し、その説明を省略する。
【０１４７】
図２８は、第４実施形態の画像合成システム４００のプロジェクタ４１０の構成の一例を示すブロック図である。プロジェクタ４１０は、記憶部４３０が合成判別テーブル記憶部４３３を含む点、及び制御部４４０の合成部４４４が第２実施形態のプロジェクタ２１０と相違する。
【０１４８】
合成判別テーブル記憶部４３３は、タブレットを識別する端末識別情報と手書き画像データを合成するか否かを示す合成有無情報とを対応付けた合成判別テーブルを記憶する。図２９は、第４実施形態の合成判別テーブル記憶部４３３に記憶されている合成判別テーブルの一例を示す図である。図２９に示す例では、“Ａ”を示す端末識別情報と有を示す合成有無情報とが対応付けられており、“Ｂ”を示す端末識別情報と無を示す合成有無情報とが対応付けられている。
【０１４９】
合成部４４４は、合成判別テーブルを参照し、タブレット２６０Ａの端末識別情報に対応付けられた合成有無情報が合成有を示す場合、タブレット２６０Ａの手書き画像データを画面データに合成し、タブレット２６０Ｂの端末識別情報に対応付けられた合成有無情報が合成無を示す場合、タブレット２６０Ｂの手書き画像データを画面データに合成する。
【０１５０】
例えば、合成部４４４は、図２９に示す合成判別テーブルを参照し、“Ａ”を示す端末識別情報に対応付けられた合成有無情報が有を示すので、タブレット２６０Ａの手書き画像データを画面データに合成する。一方、合成部４４４は、“Ｂ”を示す端末識別情報に対応付けられ合成有無情報が無を示すので、タブレット２６０Ｂの手書き画像データは画面データに合成しない。つまり、合成部４４４は、タブレット２６０Ａの手書き画像データのみを画面データに合成して合成画面データを生成する。
【０１５１】
図３０は、第４実施形態の画像合成システム４００で実行される合成判別テーブル更新処理の一例を示すシーケンス図である。
【０１５２】
まず、タブレット２６０Ａの制御部２８０は、プロジェクタ４１０に対して合成判別テーブルを要求する（ステップＳ８０１）。
【０１５３】
続いて、プロジェクタ４１０の制御部４４０は、タブレット２６０Ａから合成判別テーブルの要求を受け付け、合成判別テーブル記憶部４３３から合成判別テーブルを取得し（ステップＳ８０２）、取得した合成判別テーブルをタブレット２６０Ａに送信する（ステップＳ８０３）。
【０１５４】
続いて、タブレット２６０Ａの制御部２８０は、プロジェクタ４１０から合成判別テーブルを受信し、受信した合成判別テーブルを操作表示部１７２に表示させ、ユーザから更新入力を受け付け、合成判別テーブルの内容（合成有無情報）を更新する（ステップＳ８０４）。そして、制御部２８０は、更新された合成判別テーブルをプロジェクタ４１０に送信する（ステップＳ８０５）。
【０１５５】
続いて、プロジェクタ４１０の制御部４４０は、タブレット２６０Ａから合成判別テーブルを受信し、受信した合成判別テーブルで合成判別テーブル記憶部４３３に記憶されている合成判別テーブルを更新する（ステップＳ８０６）。
【０１５６】
なお、図３０では、タブレット２６０Ａが合成判別テーブルを更新する例について説明したが、いずれのタブレットからでも合成判別テーブルを更新できる。
【０１５７】
以上のように第４実施形態によれば、複数のタブレットから入力された手書き情報のうち特定のタブレットから入力された手書き情報のみを反映した合成画面データを生成して投影するので、会議や授業などに好適である。また第４実施形態によれば、いずれのタブレットからでも手書き情報を反映させるタブレットを切り替えることができるので、会議や授業などに好適である。
【０１５８】
（第５実施形態）
第５実施形態では、タブレットの表示画面をプロジェクタの投影画面と同期する例について説明する。なお以下では、第２実施形態との相違点の説明を主に行い、第２実施形態と同様の機能を有する構成要素については、第２実施形態と同様の名称・符号を付し、その説明を省略する。
【０１５９】
図３１は、第５実施形態の画像合成システム５００のプロジェクタ５１０の構成の一例を示すブロック図である。プロジェクタ５１０は、記憶部５３０が同期判別テーブル記憶部５３３を含む点、記憶部５３０の画像データ記憶部５３１、並びに制御部５４０の配信部５４１及び合成部５４４が第２実施形態のプロジェクタ２１０と相違する。
【０１６０】
同期判別テーブル記憶部５３３は、タブレットを識別する端末識別情報と、投影されている画面と同期するか否かを示す同期有無情報と、を対応付けた同期判別テーブルを記憶する。なお同期判別テーブルは、同期無を示す同期有無情報には、合成対象の手書き情報が生成された端末装置の端末識別情報である同期対象端末識別情報を対応付ける。
【０１６１】
図３２は、第５実施形態の同期判別テーブル記憶部５３３に記憶されている同期判別テーブルの一例を示す図である。図３２に示す例では、“Ａ”を示す端末識別情報と有を示す同期有無情報とが対応付けられており、“Ｂ”を示す端末識別情報と無を示す同期有無情報とが対応付けられている。なお、“Ｂ”を示す端末識別情報には、無を示す同期有無情報が対応付けられているため、“Ａ”を示す同期対象端末識別情報が対応付けられている。
【０１６２】
合成部５４４は、合成画面データを生成する。例えば、合成部４４４は、図７に示す合成画面データを生成する。
【０１６３】
合成部５４４は、更に、同期判別テーブルを参照し、同期対象端末識別情報が示すタブレットの手書き情報から生成された手書き画像データと画面データとを合成して配信用合成画面データを生成し、画像データ記憶部５３１に記憶する。例えば、合成部５４４は、図３２に示す同期判別テーブルを参照し、“Ｂ”を示す端末識別情報に対応付けられた同期対象端末識別情報が“Ａ”を示すので、図１６に示すタブレット２６０Ａの手書き画像データを図３に示す画面データに合成して、図１７に示す配信用合成画面データを生成する。
【０１６４】
配信部５４１は、同期判別テーブルを参照し、タブレット５６０Ａ、５６０Ｂのうち同期有を示す同期有無情報に対応付けられたタブレットに合成画面データを配信する。例えば、配信部５４１は、図３２に示す同期判別テーブルを参照し、“Ａ”を示す端末識別情報に対応付けられた同期有無情報が有を示すので、タブレット５６０Ａに図７に示す合成画面データを配信する。
【０１６５】
また配信部５４１は、同期判別テーブルを参照し、タブレット５６０Ａ、５６０Ｂのうち同期対象端末識別情報が対応付けられた端末識別情報が示すタブレットに配信用合成画面データを配信する。例えば、配信部５４１は、図３２に示す同期判別テーブルを参照し、“Ｂ”を示す端末識別情報に対応付けられた同期対象端末識別情報が“Ａ”を示すので、タブレット５６０Ｂに図１７に示す配信用合成画面データを配信する。
【０１６６】
図３３は、第５実施形態の画像合成システム５００のタブレット５６０Ａ、Ｂの構成の一例を示すブロック図である。タブレット５６０Ａ、Ｂは、記憶部５７４、制御部５８０の受信部５８１、表示制御部５８２、及び合成部５８４が第２実施形態のプロジェクタ２１０と相違する。
【０１６７】
受信部５８１は、プロジェクタ５１０から合成画面データ又は配信用合成画面データを受信する。例えば、タブレット５６０Ａの受信部５８１であれば、プロジェクタ５１０から図７に示す合成画面データを受信し、タブレット５６０Ｂの受信部５８１であれば、プロジェクタ５１０から図１７に示す配信用合成画面データを受信する。
【０１６８】
表示制御部５８２は、受信部５８１により受信された合成画面データ又は配信用合成画面データに基づく画面を操作表示部１７２に表示させる。例えば、タブレット５６０Ａの表示制御部５８２であれば、受信部５８１により受信された図７に示す合成画面データに基づく画面を操作表示部１７２に表示させ、タブレット５６０Ｂの表示制御部５８２であれば、受信部５８１により受信された図１７に示す配信用合成画面データに基づく画面を操作表示部１７２に表示させる。
【０１６９】
合成部５８４は、生成した手書き画像データと受信部５８１により受信された合成画面データ又は配信用合成画面データとを合成して合成画面データを生成する。
【０１７０】
図３４は、第５実施形態のプロジェクタ５１０で実行される配信処理の一例を示すフローチャート図である。
【０１７１】
ステップＳ９０１〜Ｓ９０２までの処理は、図１３のフローチャートのステップＳ４０４〜Ｓ４０５までの処理と同様である。
【０１７２】
続いて、合成部５４４は、同期判別テーブルにおいて全てのタブレットの同期有無の確認を完了していなければ（ステップＳ９０３でＹｅｓ）、未確認の端末識別情報に対応付けられた同期有無情報が有を示すか否かを確認する（ステップＳ９０４）。なお、同期判別テーブルにおいて全てのタブレットの同期有無の確認を完了している場合（ステップＳ９０３でＮｏ）、処理は終了となる。
【０１７３】
同期有無情報が有を示す場合（ステップＳ９０４でＹｅｓ）、配信部５４１は、当該同期有無情報が対応付けられた端末識別情報が示すタブレットに合成画面データを配信し（ステップＳ９０５）、ステップＳ９０３に戻る。
【０１７４】
一方、同期有無情報が無を示す場合（ステップＳ９０４でＮｏ）、合成部５４４は、当該同期有無情報が対応付けられた同期対象端末識別情報が示すタブレットの手書き画像データを画面データに合成して配信用合成画面データを生成し（ステップＳ９０６）、当該同期有無情報が示すタブレットに当該配信用合成画面データを配信し（ステップＳ９０７）、ステップＳ９０３に戻る。
【０１７５】
図３５は、第５実施形態の画像合成システム５００で実行される同期判別テーブル更新処理の一例を示すシーケンス図である。
【０１７６】
まず、タブレット５６０Ａの制御部５８０は、プロジェクタ５１０に対して同期判別テーブルの自身（タブレット５６０Ａ）の情報を要求する（ステップＳ１００１）。
【０１７７】
続いて、プロジェクタ５１０の制御部５４０は、タブレット５６０Ａからの要求を受け付け、同期判別テーブル記憶部５３３から同期判別テーブルのタブレット５６０Ａの情報を取得し（ステップＳ１００２）、取得した情報をタブレット５６０Ａに送信する（ステップＳ１００３）。
【０１７８】
続いて、タブレット５６０Ａの制御部５８０は、プロジェクタ５１０からタブレット５６０Ａの情報を受信し、受信したタブレット５６０Ａの情報を操作表示部１７２に表示させ、ユーザから更新入力を受け付け、タブレット５６０Ａの情報の内容（同期有無情報、同期対象端末識別情報）を更新する（ステップＳ１００４）。そして、制御部５８０は、更新されたタブレット５６０Ａの情報をプロジェクタ５１０に送信する（ステップＳ１００５）。
【０１７９】
続いて、プロジェクタ５１０の制御部５４０は、タブレット５６０Ａから更新後のタブレット５６０Ａの情報を受信し、受信したタブレット５６０Ａの情報で同期判別テーブルのタブレット５６０Ａの情報を更新する（ステップＳ１００６）。
【０１８０】
なお、図３５では、タブレット５６０Ａが同期判別テーブルの自身の情報を更新する例について説明したが、いずれのタブレットからでも同期判別テーブルの自身の情報を更新できる。
【０１８１】
以上のように第５実施形態によれば、タブレットの表示画面をプロジェクタの投影画面と同期できるので、会議や授業などに好適である。また第５実施形態によれば、タブレットの表示画面をいずれのタブレットの手書き情報を合成した画面とすることができるので、会議や授業などに好適である。
【０１８２】
（変形例４）
なお、本発明は、上記各実施形態に限定されるものではなく、種々の変形が可能である。例えば、変形例１〜３、第２〜第５実施形態を適宜組み合わせたりするようにしてもよい。
【０１８３】
（ハードウェア構成）
上記各実施形態及び変形例のプロジェクタは、ＣＰＵなどの制御装置と、ＲＯＭやＲＡＭなどの記憶装置と、ＨＤＤやリムーバブルドライブ装置などの外部記憶装置と、投影装置と、通信インタフェースなどの通信装置とを備えており、通常のコンピュータを利用したハードウェア構成となっている。
【０１８４】
上記各実施形態及び変形例のタブレットは、ＣＰＵなどの制御装置と、ＲＯＭやＲＡＭなどの記憶装置と、ＨＤＤやリムーバブルドライブ装置などの外部記憶装置と、ディスプレイなどの表示装置と、キーボードやマウスなどの入力装置と、通信インタフェースなどの通信装置とを備えており、通常のコンピュータを利用したハードウェア構成となっている。
【０１８５】
上記各実施形態及び変形例のプロジェクタやタブレットで実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１８６】
また、上記各実施形態及び変形例のプロジェクタやタブレットで実行されるプログラムを、インターネット等のネットワークに接続されたコンピュータ上に格納し、ネットワーク経由でダウンロードさせることにより提供するようにしてもよい。また、上記各実施形態及び変形例のプロジェクタやタブレットで実行されるプログラムを、インターネット等のネットワーク経由で提供または配布するようにしてもよい。また、上記各実施形態及び変形例のプロジェクタやタブレットで実行されるプログラムを、ＲＯＭ等に予め組み込んで提供するようにしてもよい。
【０１８７】
上記各実施形態及び変形例のプロジェクタやタブレットで実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【０１８８】
１００、２００、３００、４００、５００  画像合成システム
１０１  ネットワーク
１１０、２１０、３１０、４１０、５１０  プロジェクタ
１２０  通信部
１３０、２３０、３３０、４３０、５３０  記憶部
１３１、２３１、５３１  画像データ記憶部
１３２、２３２  手書き位置情報記憶部
１４０、２４０、３４０、４４０、５４０  制御部
１４１、２４１、５４１  配信部
１４２、２４２  受信部
１４３、２４３  生成部
１４４、２４４、３４４、４４４、５４４  合成部
１５０  投影部
１６０、２６０Ａ、２６０Ｂ、５６０Ａ、５６０Ｂ  タブレット
１７０  通信部
１７２  操作表示部
１７４、５７４  記憶部
１８０、２８０、５８０  制御部
１８１、５８１  受信部
１８２、５８２  表示制御部
１８３  取得部
１８４、５８４  合成部
１８５、２８５  送信部
３３３  合成色テーブル記憶部
４３３  合成判別テーブル記憶部
５３３  同期判別テーブル記憶部
【先行技術文献】
【特許文献】
【０１８９】
【特許文献１】特開２００５−７９９１３号公報
【図１】
0006051521.tif 000002
【図２】
0006051521.tif 000003
【図３】
0006051521.tif 000004
【図４】
0006051521.tif 000005
【図５】
0006051521.tif 000006
【図６】
0006051521.tif 000007
【図７】
0006051521.tif 000008
【図８】
0006051521.tif 000009
【図９】
0006051521.tif 000010
【図１０】
0006051521.tif 000011
【図１１】
0006051521.tif 000012
【図１２】
0006051521.tif 000013
【図１３】
0006051521.tif 000014
【図１４】
0006051521.tif 000015
【図１５】
0006051521.tif 000016
【図１６】
0006051521.tif 000017
【図１７】
0006051521.tif 000018
【図１８】
0006051521.tif 000019
【図１９】
0006051521.tif 000020
【図２０】
0006051521.tif 000021
【図２１】
0006051521.tif 000022
【図２２】
0006051521.tif 000023
【図２３】
0006051521.tif 000024
【図２４】
0006051521.tif 000025
【図２５】
0006051521.tif 000026
【図２６】
0006051521.tif 000027
【図２７】
0006051521.tif 000028
【図２８】
0006051521.tif 000029
【図２９】
0006051521.tif 000030
【図３０】
0006051521.tif 000031
【図３１】
0006051521.tif 000032
【図３２】
0006051521.tif 000033
【図３３】
0006051521.tif 000034
【図３４】
0006051521.tif 000035
【図３５】
0006051521.tif 000036